(57)【要約】【課題】自動調理中に加熱時間の変更が可能であり、かつ、ユーザが加熱時間の変更のために操作を行なう時間についても考慮が加えられた加熱調理装置を提供する。【解決手段】電子レンジにおいて、加熱動作が開始された（ＳＢ３）後、延長キーが操作されると（ＳＢ４でＹＥＳ判断時）、当該電子レンジは時間変更モードに入る。そして、当該電子レンジでは、時間変更モードに入ると、加熱動作に対する加熱時間のカウントが停止される（ＳＢ８）。なお、加熱時間のカウントは、時間変更モードが終了すると、再開される。【選択図】        図４
2004218922.tif 000002
【特許請求の範囲】
【請求項１】
被加熱物を加熱するための加熱部と、
前記加熱部の加熱動作の時間情報の入力の操作を受付ける入力部と、
前記入力部に入力された時間情報に基づいて前記加熱部に加熱動作の時間を制御する制御部とを含み、
前記制御部は、前記加熱部の加熱動作中に前記入力部に対して当該加熱部の加熱動作の時間情報を変更する操作があった場合、当該操作が開始されてから終了するまでは、前記入力部に入力された時間情報に基づいた前記加熱部の加熱動作の時間の制御を停止する、加熱調理装置。
【請求項２】
前記加熱部の加熱動作の時間情報を変更する操作には、前記加熱部の加熱動作の時間情報を指定する第１の操作と、前記第１の操作により指定された時間情報を確定させる第２の操作とが含まれる、請求項１または請求項２に記載の加熱調理装置。
【請求項３】
前記制御部は、前記入力部に対して前記加熱部の加熱動作の時間情報を変更する操作がなされている間、前記第１の操作がなされてから特定の時間以上前記第２の操作がなされない場合には、前記入力部を、前記加熱部の加熱動作の時間情報を変更する操作を受付けない状態にする、請求項２に記載の加熱調理装置。
【請求項４】
前記制御部は、前記入力部に対して前記加熱部の加熱動作の時間情報を変更する操作がなされている間、前記入力部に対して前記加熱部の加熱動作の時間情報を変更する操作が開始されてから所定の時間以上いかなる操作もなされない場合には、前記入力部を、前記加熱部の加熱動作の時間情報を変更する操作を受付けない状態にする、請求項１〜請求項３のいずれかに記載の加熱調理装置。
【請求項５】
前記制御部は、前記入力部を、前記加熱部の加熱動作の時間情報を変更する操作を受付けない状態にした場合には、前記加熱部の加熱動作の時間情報を変更する操作が開始されてからの前記入力部になされた操作を無効化する、請求項３または請求項４に記載の加熱調理装置。
【請求項６】
前記制御部は、前記入力部を前記加熱部の加熱動作の時間情報を変更する操作を受付けない状態にしたことを条件として、前記入力部に入力された時間情報に基づいた前記加熱部の加熱動作の時間の制御を再開させる、請求項３〜請求項５のいずれかに記載の加熱調理装置。
【請求項７】
前記制御部は、前記加熱部の加熱動作中に前記入力部に対して当該加熱部の加熱動作の時間情報を変更する操作があった場合、当該操作が開始されてから終了するまでは、前記加熱部の加熱動作を停止させる、請求項１〜請求項６のいずれかに記載の加熱調理装置。
【請求項８】
前記制御部は、前記入力部に入力された時間情報に基づいた前記加熱部の加熱動作の時間の制御を再開させる際、前記時間情報を変更する操作が開始されてから終了するまでの時間を減算して、当該加熱動作の時間の制御を行なう、請求項１〜請求項７のいずれかに記載の加熱調理装置。
【請求項９】
前記制御部は、前記入力部に入力された時間情報に基づいた前記加熱部の加熱動作の時間の制御を再開させる際、前記時間情報を変更する操作が開始されてから終了するまでの時間とは独立させて、当該加熱動作の時間の制御を行なう、請求項１〜請求項７のいずれかに記載の加熱調理装置。
【請求項１０】
前記制御部は、現在の前記加熱部の加熱動作の残り時間が所定の条件より長い場合には、前記入力部を、前記加熱部の加熱動作の時間情報を変更する操作を受付けない状態とする、請求項１〜請求項９のいずれかに記載の加熱調理装置。
【請求項１１】
前記制御部は、前記入力部に対して前記加熱部の加熱動作の時間情報を変更する操作がなされた回数を計数し、所定の回数以上当該時間情報を変更するための操作がなされた場合には、前記入力部を、前記加熱部の加熱動作の時間情報を変更する操作を受付けない状態とする、請求項１〜請求項１０のいずれかに記載の加熱調理装置。
【請求項１２】
前記制御部は、前記入力部に対して無効な操作がなされた回数を計数し、当該無効な操作が特定の回数以上なされた場合には、前記入力部を、前記加熱部の加熱動作の時間情報を変更する操作を受付けない状態とする、請求項１〜請求項１１のいずれかに記載の加熱調理装置。
【請求項１３】
前記入力部は、前記加熱部の加熱動作の時間情報を変更する操作を行なうための第１の操作部材と、前記加熱部の加熱動作の時間情報の変更とは異なる操作を行なうための前記第１の操作部材とは異なる第２の操作部材とを備え、
前記第１の操作部材は、前記第２の操作部材よりも、操作の入力が受付けにくいように構成されている、請求項１〜請求項１２のいずれかに記載の加熱調理装置。
【発明の詳細な説明】
【０００１】
【発明の属する技術分野】
本発明は、加熱調理装置に関し、特に、自動調理中に加熱時間の変更が可能な加熱調理装置に関する。
【０００２】
【従来の技術】
従来から、特許文献１に開示されたように、入力した加熱時間だけ加熱調理を行ない、かつ、調理中に入力された情報に基づいて実行中の加熱調理における加熱時間を変更できる加熱調理装置があった。
【０００３】
【特許文献１】
特開平２−２８２６１９号公報
【０００４】
【発明が解決しようとする課題】
しかしながら、従来の加熱調理装置のように、単に、入力された情報に基づいて加熱時間を変更する処理を行なえば、当該情報の入力の操作が行なわれている間に加熱調理が終了してしまう場合があった。このような場合、加熱調理の延長または短縮が、不可能となる事態を生じることが考えられる。
【０００５】
また、加熱調理に複数のステージが含まれる場合であれば、当該情報の入力の操作が行なわれている間に、ユーザが加熱時間を延長しようとするステージの加熱調理が終了して別のステージの加熱調理が開始している事態があった。このような事態では、ユーザが延長または短縮を意図したステージとは異なるステージの加熱調理が延長または短縮されてしまう。具体的には、第１のステージとしてマイクロ波加熱を行ない、第１のステージの終了後、第２のステージとしてヒータ加熱を行なうような加熱調理について考える。ユーザがマイクロ波加熱の加熱時間を延長させようと操作を行なっているにも拘わらず、当該操作が完了したときには、マイクロ波加熱が終了してヒータ加熱が実行されていれば、ユーザが実際に所望した時間だけマイクロ波加熱が行なわれる前にヒータ加熱が実行されてしまうことになる。
【０００６】
本発明は上述したかかる実情に鑑み考え出されたものであり、その目的は、調理中に加熱時間の変更が可能であり、かつ、ユーザが加熱時間の変更のために操作を行なう時間についても考慮が加えられた加熱調理装置を提供することである。
【０００７】
【課題を解決するための手段】
本発明に従った加熱調理装置は、被加熱物を加熱するための加熱部と、前記加熱部の加熱動作の時間情報の入力の操作を受付ける入力部と、前記入力部に入力された時間情報に基づいて前記加熱部に加熱動作の時間を制御する制御部とを含み、前記制御部は、前記加熱部の加熱動作中に前記入力部に対して当該加熱部の加熱動作の時間情報を変更する操作があった場合、当該操作が開始されてから終了するまでは、前記入力部に入力された時間情報に基づいた前記加熱部の加熱動作の時間の制御を停止することを特徴とする。
【０００８】
本発明に従った加熱調理装置によると、加熱部の加熱動作中に、加熱時間を変更する情報が受付けられ、かつ、当該変更する情報を入力している操作中に加熱動作が進行することが回避される。
【０００９】
これにより、加熱調理装置において、調理中や複数のステージを運転すべきときの１つのステージの運転中に加熱時間の変更が可能であり、かつ、ユーザが加熱時間の変更のために操作を行なう時間についても考慮が加えられたことになる。
【００１０】
また、本発明に従った加熱調理装置では、前記加熱部の加熱動作の時間情報を変更する操作には、前記加熱部の加熱動作の時間情報を指定する第１の操作と、前記第１の操作により指定された時間情報を確定させる第２の操作とが含まれることが好ましい。
【００１１】
これにより、確実に、ユーザの加熱時間の変更のための操作が完了したことが加熱調理装置側で認識される。
【００１２】
また、本発明に従った加熱調理装置では、前記制御部は、前記入力部に対して前記加熱部の加熱動作の時間情報を変更する操作がなされている間、前記第１の操作がなされてから特定の時間以上前記第２の操作がなされない場合には、前記入力部を、前記加熱部の加熱動作の時間情報を変更する操作を受付けない状態にすることが好ましい。
【００１３】
これにより、加熱動作の変更ための操作のために、実行中の調理が無用に延長されることを回避できる。特に、誤って第１の操作がなされた場合に、実行中の調理が無用に延長されることを回避できる。
【００１４】
また、本発明に従った加熱調理装置では、前記制御部は、前記入力部に対して前記加熱部の加熱動作の時間情報を変更する操作がなされている間、前記入力部に対して前記加熱部の加熱動作の時間情報を変更する操作が開始されてから所定の時間以上いかなる操作もなされない場合には、前記入力部を、前記加熱部の加熱動作の時間情報を変更する操作を受付けない状態にすることが好ましい。
【００１５】
これにより、加熱動作の変更ための操作のために、実行中の調理が無用に延長されることを回避できる。特に、誤って加熱動作の時間情報を変更を開始する操作がなされた場合に、実行中の調理が無用に延長されることを回避できる。
【００１６】
また、本発明に従った加熱調理装置では、前記制御部は、前記入力部を、前記加熱部の加熱動作の時間情報を変更する操作を受付けない状態にした場合には、前記加熱部の加熱動作の時間情報を変更する操作が開始されてからの前記入力部になされた操作を無効化することが好ましい。
【００１７】
これにより、制御部は、不要な情報を無効化でき、誤動作等、使用者の意図しない変更を防止できる。
【００１８】
また、本発明に従った加熱調理装置では、前記制御部は、前記入力部を前記加熱部の加熱動作の時間情報を変更する操作を受付けない状態にしたことを条件として、前記入力部に入力された時間情報に基づいた前記加熱部の加熱動作の時間の制御を再開させることが好ましい。
【００１９】
これにより、速やかに、制御部による加熱部の加熱動作の時間の制御が再開される。
【００２０】
また、本発明に従った加熱調理装置では、前記制御部は、前記加熱部の加熱動作中に前記入力部に対して当該加熱部の加熱動作の時間情報を変更する操作があった場合、当該操作が開始されてから終了するまでは、前記加熱部の加熱動作を停止させることが好ましい。
【００２１】
これにより、ユーザが加熱時間の変更を行なっている間に、過度に被加熱物が加熱されることを回避できる。
【００２２】
また、本発明に従った加熱調理装置では、前記制御部は、前記入力部に入力された時間情報に基づいた前記加熱部の加熱動作の時間の制御を再開させる際、前記時間情報を変更する操作が開始されてから終了するまでの時間を減算して、当該加熱動作の時間の制御を行なうことが好ましい。
【００２３】
これにより、たとえば、加熱動作の時間の制御が停止されている間に加熱動作が継続されていても、加熱が過剰となる事態を回避できる。
【００２４】
また、本発明に従った加熱調理装置では、前記制御部は、前記入力部に入力された時間情報に基づいた前記加熱部の加熱動作の時間の制御を再開させる際、前記時間情報を変更する操作が開始されてから終了するまでの時間とは独立させて、当該加熱動作の時間の制御を行なうことが好ましい。
【００２５】
これにより、たとえば、加熱動作の時間の制御が停止されている間に加熱動作が停止されていても、加熱が不足する事態を回避できる。
【００２６】
また、本発明に従った加熱調理装置では、前記制御部は、現在の前記加熱部の加熱動作の残り時間が所定の条件より長い場合には、前記入力部を、前記加熱部の加熱動作の時間情報を変更する操作を受付けない状態とすることが好ましい。
【００２７】
これにより、加熱動作開始時等、加熱動作の時間を変更する必要がないと考えられるときになされた誤操作に従って加熱調理装置が動作することを、確実に回避できる。
【００２８】
また、本発明に従った加熱調理装置では、前記制御部は、前記入力部に対して前記加熱部の加熱動作の時間情報を変更する操作がなされた回数を計数し、所定の回数以上当該時間情報を変更するための操作がなされた場合には、前記入力部を、前記加熱部の加熱動作の時間情報を変更する操作を受付けない状態とすることが好ましい。
【００２９】
これにより、誤操作に従って加熱調理装置が動作することを回避できる。
また、本発明に従った加熱調理装置では、前記制御部は、前記入力部に対して無効な操作がなされた回数を計数し、当該無効な操作が特定の回数以上なされた場合には、前記入力部を、前記加熱部の加熱動作の時間情報を変更する操作を受付けない状態とすることが好ましい。
【００３０】
これにより、誤操作に従って加熱調理装置が動作することを回避できる。
また、本発明に従った加熱調理装置では、前記入力部は、前記加熱部の加熱動作の時間情報を変更する操作を行なうための第１の操作部材と、前記加熱部の加熱動作の時間情報の変更とは異なる操作を行なうための前記第１の操作部材とは異なる第２の操作部材とを備え、前記第１の操作部材は、前記第２の操作部材よりも、操作の入力が受付けにくいように構成されていることが好ましい。
【００３１】
これにより、加熱調理の時間の変更についての誤操作に従って加熱調理装置が動作することを、より確実に回避できる。
【００３２】
【発明の実施の形態】
以下、図面を参照しつつ、本発明の加熱調理装置の一実施の形態である電子レンジについて説明する。なお、以下の説明では、同一の部品には、特記された場合を除き、同一の符号が付され、それらの名称および機能も同じである。したがって、それらについての詳細な説明は繰り返さない。
【００３３】
また、本実施の形態では、加熱調理装置の一例として電子レンジについて説明を行なうが、本発明はこれに限定されるものではない。加熱調理について、加熱開始時に調理時間を設定され、かつ、当該調理時間を調理中に変更できるものであれば、電磁調理器等、他の加熱調理装置に対しても本発明は適用可能である。
【００３４】
図１は、電子レンジの斜視図である。電子レンジ１の本体は、その外郭を、外装部４に覆われている。本体の前面には、ドア３が備えられている。本体の内部には被加熱物である食品を収容する加熱室が形成され、当該加熱室はドア３により開閉される。また、本体の前面には、ユーザが、電子レンジ１に各種の情報を入力するための操作パネル６が備えられている。操作パネル６には、各種キーに加えて、情報をたとえば液晶パネルから構成される表示部６０が備えられている。また、電子レンジ１は、底部に複数の脚８を備えている。また、ドア３は、下端を軸として、開閉可能に構成されている。
【００３５】
図２は、操作パネル６の正面図である。操作パネル６には、表示部６０に加えて、他のキーで設定した調理内容を開始させるためのスタートキー６０１、蒸し調理または蒸焼き調理を行なうためのキー６０３、解凍調理を行なうためのキー６０４、レンジ焼き調理を行なうためのキー６０５、予め設定された自動調理メニューを選択するためのキー６０６、自動調理の仕上がりの強弱を設定するためのキー６０７，６０８、加熱室内の温度を調整した調理を実行するためのキー６０９、グリル調理を行なうためのキー６１０、加熱調理の出力を設定するためのキー６１１、オーブン調理を行なうためのキー６１２，６１３、加熱室内の脱臭のための動作を行なわせるためのキー６１４、自動調理または時間の決められた調理に対して調理時間を延長させるための延長キー６１５、スタートキー６０１，キー６０３〜６１４，延長キー６１５によって入力された設定状態や運転状態などをリセットし初期待機状態に戻すための取消キー６０２、および、温度または時間等についての数値を入力するための調整ツマミ６１６が備えられている。
【００３６】
図３に、電子レンジ１の制御ブロック図を示す。電子レンジ１は、当該電子レンジ１の動作を全体的に制御する制御回路３０を備えている。制御回路３０は、マイクロコンピュータ３００を含む。
【００３７】
制御回路３０は、操作パネル６、および、ドア３の開閉状態を検知するドア検知スイッチ３４から種々の情報を入力される。そして、制御回路３０は、該入力された情報等に基づいて、冷却ファンモータ３１、オーブン用ヒータ３２、マイクロ波発振回路３３、および、表示部６０の動作を制御する。また、制御回路３０は、後述するタイマＴｏｐ，Ｔｎｉ，ＴｉｏおよびカウンタＮを備えている。
【００３８】
オーブン用ヒータ３２は、加熱室に輻射熱を発生させるためのヒータである。また、電子レンジ１には、加熱室にマイクロ波を供給するためのマグネトロンを備えられており、マイクロ波発振回路３３は、当該マグネトロンにマイクロ波を発振させるための回路である。冷却ファンモータ３１は、電子レンジ１において温度が上昇した各種部品を冷却するためのファンを回転させるモータである。
【００３９】
次に、電子レンジ１において実行される加熱調理処理の内容を、図４および図５のフローチャートを参照しつつ説明する。
【００４０】
まず、ステップＳＢ（以下、「ステップ」を省略する）１で、制御回路３０は、操作パネル６に対してなされた操作に応じて、加熱調理のための各種の設定を行ない、かつ、当該設定に応じて加熱調理を行なうために、オーブン用ヒータ３２および／またはマイクロ波発振回路３３に対して、動作の指示を出す。
【００４１】
次に、ＳＢ２で、制御回路３０は、無効操作回数カウンタＮのカウント値をリセットする。
【００４２】
ＳＢ１の処理により、ＳＢ３では、操作パネル６に対してなされた操作に応じた、蒸し物調理、解凍調理、レンジ焼き調理等の加熱動作が開始され、これと同時に、制御回路３０は、加熱動作を実行している時間のカウント動作を開始する。
【００４３】
次に、ＳＢ４で、制御回路３０は、延長キー６１５に対して操作がなされたか否かを判断する。そして、操作があったと判断されるとＳＢ５に処理が進められ、なかったと判断されるとＳＢ１９に処理が進められる。
【００４４】
ＳＢ５では、制御回路３０は、無効操作回数カウンタＮのカウント値が３となっているか否かを判断し、３になっていればＳＢ１８へ、３になっていなければＳＢ６へ、それぞれ処理を進める。無効操作回数カウンタＮとは、延長キー６１５が操作されたにも拘わらず加熱時間を延長するための有効な操作がなされたかったという事態が発生した回数をカウントするためのカウンタである。
【００４５】
ＳＢ６では、制御回路３０は、無効操作回数カウンタＮのカウント値が０であるか否かを判断し、０であればＳＢ７へ、０でなければＳＢ８へ、それぞれ処理を進める。
【００４６】
ＳＢ７では、制御回路３０は、無効操作回数カウンタＮのカウント動作が継続されている時間を計時するタイマＴｉｏをリセットした後、計時動作を開始させて、処理をＳＢ８に進める。
【００４７】
ＳＢ８では、ＳＢ３で開始された加熱動作の時間についてのカウント動作を停止させ、カウント動作を停止させている旨を示すため、表示部６０における加熱時間についての表示を点滅させる。
【００４８】
また、ＳＢ８で、制御回路３０は、カウント動作が停止されてからの時間を計時するタイマＴｏｐをリセットし、かつ、当該カウンタの計時動作を開始させる。なお、本実施の形態では、延長キー６１５が操作されたことに応じてＳＢ７でタイマＴｉｏの計時動作が開始されてから、後述するＳＢ１２で加熱時間の変更が確定されるまで、後述するＳＢ１６，ＳＢ１７もしくはＳＢ１９の処理を経てＳＢ３に処理が戻されるまで、または、後述するＳＢ１９の処理により加熱動作が終了されるまで、電子レンジ１は時間変更モードにある、という。
【００４９】
なお、電子レンジ１では、時間変更モードに入ると、ＳＢ８で、加熱時間のカウント動作が停止されるが、上記したように、ＳＢ１２で加熱時間の変更が確定される、ＳＢ１６，ＳＢ１７もしくはＳＢ１９の処理を経てＳＢ３に処理が戻される、または、ＳＢ１９の処理により加熱動作が終了されることにより、時間変更モードが終了すると、加熱動作が終了していない限り、カウント動作は再開される。
【００５０】
そして、制御回路３０は、ＳＢ８で、さらに、時間変更モードに入ってから操作パネル６に対して、連続して、いかなる入力操作もなされなかった時間を計時するタイマＴｎｉをリセットし、かつ、当該カウンタの計時動作を開始させる。
【００５１】
次に、制御回路３０は、ＳＢ９で、操作パネル６に対して、延長キー６１５の操作に対応する、加熱調理を延長させるべき時間の入力があったか否かを判断する。そして、当該入力があったと判断されると処理はＳＢ１０に移行され、当該入力がなかったと判断されると処理はＳＢ１１に移行される。
【００５２】
ＳＢ１０で、制御回路３０は、ＳＢ９で入力が検出された時間に応じて、現在行なっている加熱動作の残り時間を変更し、かつ、タイマＴｎｉをクリアする。
【００５３】
次に、制御回路３０は、ＳＢ１１で、スタートキー６０１に対する操作があったか否かを判断する。そして、当該操作があったと判断すれば、制御回路３０は、ＳＢ１２で、ＳＢ９で入力されたと判断しＳＢ１０で設定の変更を行なったように加熱動作の残り時間の変更を確定させ、処理をＳＢ３に戻す。一方、当該操作がなかったと判断すると、制御回路３０は、ＳＢ１３に処理を進める。
【００５４】
ＳＢ１３では、制御回路３０は、タイマＴｎｉのカウント値が５秒を越えているか、または、タイマＴｏｐのカウント値が１５秒を越えているかを判断し、そのような場合には、処理をＳＢ１４に進める。一方、タイマＴｎｉおよびタイマＴｏｐのカウント値がいずれもそれらの値を越えていなければ、ＳＢ９に処理が戻される。
【００５５】
ＳＢ１４では、制御回路３０は、時間変更モード中に操作パネル６に対してなされた操作を無効化する。なお、時間変更モード中に操作パネル６に対してなされた操作の内容は、制御回路３０内の所定のメモリに記憶されている。そして、ＳＢ１４における無効化とは、当該所定のメモリの記憶内容をクリアすることである。また、制御回路３０は、カウント動作している加熱動作の実行時間から、無効化されたと判断するまでの時間、すなわち、ＳＢ１３でタイマＴｎｉまたはタイマＴｏｐの中でカウント値が判断対象となっていた値を越えたと判断された方の値（時間）を、減算する。
【００５６】
次に、制御回路３０は、ＳＢ１５で、タイマＴｉｏのカウント値が２０秒を越えたか否かを判断する。そして、制御回路３０は、越えていればＳＢ１６でカウンタＮのカウント値を０にしてＳＢ３に処理を戻し、越えていなければカウンタＮのカウント値を１加算更新してＳＢ３に処理を戻す。
【００５７】
一方、制御回路３０は、ＳＢ１８で、延長キー６１５の入力の受付けを拒否する状態となった後、ＳＢ１９で現在の加熱動作を終了すべきか否かの判断を行なう。なお、加熱動作を終了すべきか否かの判断とは、たとえば、設定されている時間（ＳＢ１で設定された時間、または、ＳＢ１２で変更された後の時間）だけ加熱動作が行なわれたか否かの判断である。そして、終了すべきであると判断すれば、ＳＢ２０に処理を移行させる。一方、まだ終了すべきではないと判断すると、制御回路３０は、処理をＳＢ３に戻す。
【００５８】
ＳＢ２０で、制御回路３０は、延長キー６１５に対する操作があったか否かを判断し、操作が無かった場合には、制御回路３０は、ＳＢ２１で、ＳＢ１９または後述するＳＢ２５において加熱動作を終了すべきであると判断してから５分が経過したか否かを判断する。５分が経過していれば、加熱動作を終了させて、加熱調理処理は終了し、５分が経過していなければＳＢ２０に処理が戻される。一方、ＳＢ２０で延長キー６１５に対する操作があったと判断されると、処理は、ＳＢ２２に移行される。
【００５９】
ＳＢ２２では、ユーザにより、操作パネル６に対して延長を希望する加熱時間の入力がなされる。これに応じて、制御回路３０は、操作パネル６に対してなされた処理を受付ける。
【００６０】
そして、ＳＢ２３で、制御回路３０は、スタートキー６０１に対する操作を待つ。そして、当該操作があれば、ＳＢ２４で、延長キー６１５に対する入力に応じた加熱動作として、ＳＢ２５で延長を希望する加熱時間が満了し加熱動作を終了すべきであると判断されるまで、追加の加熱動作を実行する。なお、制御回路３０は、ＳＢ２５で、加熱動作を終了すべきであると判断すると、処理をＳＢ２１に戻す。
【００６１】
つまり、本実施の形態の加熱動作終了後５分以内に延長キー６１５に対する操作があれば、ＳＢ２２以降の処理が実行され、加熱動作終了後５分以内に延長キー６１５に対する操作がなければ、そのまま加熱調理処理は終了する。
【００６２】
以上、図４〜図５を参照して説明した加熱調理処理では、時間変更モードに入ると、当該モードが終了するまで、加熱時間のカウント動作が停止される。
【００６３】
これにより、時間変更モードに入っている間に、加熱動作が終了することを回避できる。特に、時間変更モードに入る際の加熱動作が複数の加熱動作を含む加熱シーケンス中の最初の加熱動作であるような場合であっても、時間変更モードに入っている間に当該最初の加熱動作が終了し次の加熱動作に移行し、ユーザが最初の加熱動作についての加熱時間の変更を意図したにも拘わらず次の加熱動作について加熱時間が変更される、という事態を回避できる。
【００６４】
具体的には、蒸し物の加熱動作の後にレンジ焼きの加熱動作が行なわれる加熱シーケンスが開始されている場合であって、ユーザが最初の蒸し物の加熱動作について加熱時間の延長を意図した場合を挙げることができる。蒸し物の加熱動作の残り時間が３秒となった時点でユーザが蒸し物の加熱動作を延長させるべく延長キー６１５を操作すると、上記の変形例ではそこで蒸し物の加熱動作についての加熱時間のカウント動作が一時的に停止される。これにより、加熱動作の延長をさせるための操作が３秒以上の時間を要する場合でも、次のレンジ焼きの加熱動作が開始されることなく、蒸し物の加熱動作を延長させることができる。
【００６５】
また、時間変更モードでは、加熱時間のカウント動作と共に、そのとき実行されている加熱動作自体も、停止させても良い。なお、停止された加熱動作は、時間変更モードの終了と同時に、停止前と同じ出力で、再開されることが好ましい。
【００６６】
また、本実施の形態では、時間変更モードにおいてＳＢ９で入力されたと検出された時間に基づいて、加熱動作の残り時間の変更がなされるが、当該変更についての操作には、ＳＢ９で検出される時間入力のための操作と、ＳＢ１１で検出される当該入力された時間を確定させるための操作が含まれる。
【００６７】
ここで、図２から理解されるように、本実施の形態では、時間を確定させるために操作されるキー（スタートキー６０１）は、時間変更モードに入るために操作されるキー（延長キー６１５）とは異なるキーとされている。つまり、電子レンジ１では、時間変更モードに入り、かつ、実際に加熱動作についての時間を変更するには、異なる複数のキーを操作されることが必要となる。これにより、たとえば鍋の柄等の障害物が、偶然、時間変更モードに入るためのキーを連続的に操作するような事態が生じても、そのような障害物の動作のみでは、加熱動作が変更されることはない。
【００６８】
それに加え、本実施の形態では、そのような事態（具体的には、２０秒間内で３回以上延長キー６１５が操作されたにも拘わらず、スタートキー６０１の操作がなかった場合）が生じた場合、ＳＢ１８の処理により、延長キー６１５に対する操作が受付けられなくなる。なお、このような制御は、同一キーをいたづらで連打された場合についても有効である。
【００６９】
また、タイマＴｎｉを用いた制御として説明したように、時間変更モードにおいていかなる入力操作もなされなかった時間が５秒を越えるという事態（ＳＢ１３でＹＥＳ判断時）が２０秒間で３回以上発生した場合（ＳＢ１５でＮＯ判断時にＳＢ１７で１加算更新されるカウンタＮのカウント値がＳＢ５で３に達したと判断された場合）には、延長キー６１５に対する操作が受付けられない状態とされる。なお、時間変更モードにおいて、一度でも、５秒間いかなる入力操作がなされなければ、その時点で延長キー６１５に対する操作が受付けられない状態とするように、電子レンジ１を構成することもできる。
【００７０】
また、本実施の形態では、ＳＢ９で時間が入力されたと認識されてから、スタートキー６０１への操作が検出されたことを条件として、加熱動作の残り時間の変更が確定される。なお、時間が入力されたと認識されてから、特定の時間内に、スタートキー６０１への操作が検出されなければ、延長キー６１５に対する操作が受付けられない状態となるように、または、ＳＢ１４で実行したように時間変更モードにおける操作内容を無効化するように、電子レンジ１を構成することもできる。
【００７１】
また、本実施の形態では、ＳＢ１８で、延長キー６１５に対する操作が受付けられなくなる、つまり、当該キーに操作がなされてもそれを制御回路３０が当該操作を認識しない状態になる。なお、電子レンジ１では、このような状態は、その時点で実行されている加熱動作が終了された場合（上記の変形例ではＳＢ１９でＹＥＳの判断がなされた場合）には、解除されるように構成されていてもよい。
【００７２】
また、本実施の形態では、現在の加熱動作の残り時間が、最初設定された加熱時間の或る割合以上であったり、或る長さの時間以上である等、所定の条件よりも長い場合には、延長キー６１５への操作を受付けられないように変更されても良い。加熱動作の残り時間がある程度長い時点では、加熱動作の時間の変更がなされる可能性が低く、誤操作である確率が高いからである。なお、このような場合、残り時間が所定の条件よりも短くなった場合に再度延長キー６１５を操作すれば良い旨が、表示部６０において表示する等、ユーザに対して報知されることが好ましい。
【００７３】
また、本実施の形態では、正常に、時間変更についての操作がなされれば、ＳＢ１１からＳＢ１２を経てＳＢ３に処理が戻され、ＳＢ１３以降の処理がなされず、カウンタＮが加算更新されることがない。これにより、ＳＢ１８において延長キー６１５への操作が受付けられない状態となることはない。なお、上記した変形例は、正常な時間変更についての操作であっても、所定時間内に、または、一回の加熱動作に対して、所定回数以上の時間変更についての操作がなされた場合には、それ以上、時間変更についての操作を受付けないよう、変更されてもよい。
【００７４】
また、本実施の形態では、まず延長キー６１５が操作されることにより、電子レンジ１が時間変更モードに入る。なお、延長キー６１５は、たとえば、所定時間以上押しつづけないと入力が受付けられない、所定時間内で複数回押圧されないと入力が受付けられない、形状が他のキーよりも小さい、という点で、操作パネル６上の他のキーと比べて、操作しにくいよう構成されている。これにより、電子レンジ１では、時間変更モードに入るための操作の入力が、他の操作の入力よりも受付けられにくくなっている。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の加熱調理装置の一実施の形態である電子レンジの斜視図である。
【図２】図１の電子レンジの操作パネルの正面図である。
【図３】図１の電子レンジの制御ブロック図である。
【図４】図１の電子レンジにおいて実行される加熱調理処理のフローチャートである。
【図５】図１の電子レンジにおいて実行される加熱調理処理のフローチャートである。
【符号の説明】
１  電子レンジ、３  ドア、４  外装部、６  操作パネル、３０  制御回路、３１  冷却ファンモータ、３３  マイクロ波発振回路、６０  表示部、６０１  スタートキー、６０２  取消キー、６０３〜６１４  キー、６１５  延長キー、６１６  調整ツマミ。
【図１】
2004218922.tif 000003
【図２】
2004218922.tif 000004
【図３】
2004218922.tif 000005
【図４】
2004218922.tif 000006
【図５】
2004218922.tif 000007